(57)【要約】【課題】有益な情報を含んだ情報コードを正規の対象者に与えることができ、且つ正規対象者以外の者がその情報コードを使用することが困難な確認システムを提供する。【解決手段】確認システム１では、利用者が所持する識別媒体の識別情報を読み取り、その識別情報又は識別情報を反映した反映情報を記録した情報コードを生成し、発行している。情報コード認証装置は、利用者が所持する識別媒体から識別情報を読み取る読取装置と、情報コード発行部で発行された情報コードＣが識別媒体で示されている場合に当該情報コードを撮像可能な撮像部とを備え、その撮像された情報コードＣの解読を試み、読取装置で取得した識別情報を解読時に利用した場合の利用結果、又は読取装置で取得した識別情報と情報コードＣを解読して得られる解読データとの対比結果に基づいて、情報コードＣの認証の成否を判定している。【選択図】図１
2014071721.tif 000002
【特許請求の範囲】
【請求項１】
情報コードを発行する情報コード発行装置と、前記情報コードを認証する情報コード認証装置とを備え、媒体固有の識別情報が記録されてなる識別媒体を用いて前記情報コードの利用者の本人確認を行う確認システムであって、
前記情報コード発行装置は、
利用者が所持する前記識別媒体の前記識別情報を読み取る識別情報取得部と、
前記識別情報取得部によって取得した前記識別情報、又は前記識別情報を反映した反映情報を記録した前記情報コードを生成する情報コード生成部と、
前記情報コード生成部によって生成された前記情報コードを発行する情報コード発行装置と、
を備え、
前記情報コード認証装置は、
利用者が所持する前記識別媒体から前記識別情報を読み取る識別情報読取部と、
前記情報コード発行装置で発行された前記情報コードが前記識別媒体に付されている場合、又は前記識別媒体に表示されている場合に当該情報コードを撮像する撮像部と、
前記撮像部によって撮像された前記情報コードの解読を試み、前記識別情報読取部で取得した前記識別情報を解読時に利用した場合の利用結果、又は前記識別情報読取部で取得した前記識別情報と前記情報コードを解読して得られる解読データとの対比結果に基づいて、前記撮像部によって撮像された前記情報コードの認証の成否を判定する判定部と、
を有することを特徴とする確認システム。
【請求項２】
前記情報コード発行装置は、前記反映情報として、所定の基礎情報を前記識別情報取得部によって取得した前記識別情報に基づく暗号化キーによって暗号化した暗号化基礎情報を生成する暗号化基礎情報生成部を備え、
前記情報コード発行装置の前記情報コード生成部は、前記暗号化基礎情報生成部によって生成された前記暗号化基礎情報を記録した前記情報コードを生成し、
前記情報コード認証装置の前記判定部は、前記識別情報読取部で読み取られた前記識別情報を復号化キーとして、前記撮像部によって撮像された前記情報コードに記録される前記暗号化基礎情報の復号化を試み、その復号化が成功することを条件として当該情報コードの認証を成功とすることを特徴とする請求項１に記載の確認システム。
【請求項３】
前記情報コード発行装置は、前記情報コードが記録され且つ前記識別媒体に貼り付け可能とされた情報コード媒体を形成し、発行することを特徴とする請求項１又は請求項２に記載の確認システム。
【請求項４】
前記識別媒体は、表示部を備えた携帯端末であり、
前記情報コード発行装置は、前記情報コード生成部によって生成された前記情報コードを、当該情報コードの生成に用いた前記携帯端末に対し前記表示部で表示可能なデータとして送信することで前記情報コードを発行することを特徴とする請求項１又は請求項２に記載の確認システム。
【請求項５】
前記情報コード発行装置は、商品又は役務の料金を印刷したシート媒体を発行する印刷部を備え、前記シート媒体に前記情報コードを印刷することで前記情報コードを発行し、
前記識別媒体は、表示部及びカメラを備えた携帯端末であり、前記カメラによって前記シート媒体に印刷された前記情報コードが撮像された場合に、前記表示部によって前記情報コードを表示することが可能となることを特徴とする請求項１又は請求項２に記載の確認システム。
【請求項６】
前記判定部による前記情報コードの認証が成功することを条件として前記識別情報で特定される個人に利益情報を付与する利益情報付与部を有することを特徴とする請求項１から請求項５のいずれか一項に記載の確認システム。
【請求項７】
前記利益情報付与部は、
各個人に付与されるポイントをそれぞれ記録可能な記録部と、
前記判定部による前記情報コードの認証が成功した場合に、前記識別情報読取部で取得した前記識別情報で特定される個人に新たに付与すべきポイントに基づき、前記記録部に記録されるべき当該個人のポイントを更新する更新部と
を有することを特徴とする請求項６に記載の確認システム。
【請求項８】
前記情報コード認証装置は、
前記識別情報で特定される個人に対する所定のポイント付与条件が成立した場合に、当該識別情報で特定される個人の更新ポイントを算出する算出部と、
前記情報コードの認証が成功した場合に、前記識別情報又は前記識別情報を反映した新たな反映情報を含み、且つ前記算出部によって算出された前記更新ポイントをデータとして含む新たな情報コードを生成する更新コード生成部と、
前記更新コード生成部によって生成された前記新たな情報コードを、前記識別情報の記録元の前記識別媒体に送信する更新コード発行部と、
を有することを特徴とする請求項６に記載の確認システム。
【発明の詳細な説明】
【技術分野】
【０００１】
本発明は、確認システムに関するものである。
【背景技術】
【０００２】
飲食店や小売店などでは、ユーザの消費に応じてポイントや割引を提供するようなシステムが運用されている。例えば、運用会社（店やその他の事業主体）がユーザ固有のカード（ユーザＩＤが記録されたＩＣカードや磁気カードなど）を発行し、店側は、精算時にユーザから提示されたカードを情報処理端末で読み取ることでユーザを特定し、そのユーザのポイントを更新している。そして、更新されたポイントは、カードに書き込んだり、情報処理端末と通信可能なサーバ等に記録している。なお、この種のシステムに関する技術としては、特許文献１のようなものがある。
【先行技術文献】
【特許文献】
【０００３】
【特許文献１】特開２００９−１９９２６８公報
【発明の概要】
【発明が解決しようとする課題】
【０００４】
しかしながら、特許文献１のようなシステムでは、事業主体側がポイントを付与するための専用カードを必ず発行しなければならない。このように、事業主体側が各個人固有の専用カードを発行することを必須とするシステムでは、カード発行の仕組みの構築や材料の用意、或いは発行後のカード管理や運用などに多大な手間やコストを要することになる。
【０００５】
一方、このような専用カードを発行せずに済むシステムとしては、例えば二次元コードによるポイント付与などが挙げられる。例えば、商品購入時に発行されるレシートなどにポイント情報を含む二次元コードを記録する方法でポイントを発行すれば、このレシートを受け取ったユーザが自身の携帯端末で二次元コードを読み取ってポイントを貯めるような運用を行ったり、或いは、ユーザが受け取ったレシートを店舗で提示し、そのレシートを店舗の端末で読み取るようにしてポイントの蓄積や活用を行うような運用が可能となる。
【０００６】
しかしながら、このようなシステムでは、ポイントを与えるべき正規対象者以外の第三者が、提供された二次元コードを容易に利用できてしまうという問題がある。例えば、一般的に二次元コードは簡易にコピーできるため、第三者が二次元コードをコピーしてポイントを不正に受け取ってしまう懸念がある。或いは、ポイントを受けた正規対象者が第三者に二次元コードを再配布することも想定され、この場合、その第三者が二次元コードを不正使用しても、正規対象者による使用であるか否かを二次元コードによって判別できないため、そのまま二次元コードの使用が認められてしまう虞がある。
【０００７】
また、二次元コードを実際に利用しようとする者が正規対象者であるか否かを判別できないという上述の問題は、ポイントシステムに限らず、他のシステム（例えばチケット提供システムなど）でも問題となり得る。
【０００８】
本発明は、上述した課題を解決するためになされたものであり、有益な情報を含んだ情報コードを正規の対象者に与えることができ、且つ正規対象者以外の者がその情報コードを使用することが困難な確認システムを提供することを目的とする。
【課題を解決するための手段】
【０００９】
本発明は、上述した課題を解決するためになされたものであり、
情報コードを発行する情報コード発行装置と、前記情報コードを認証する情報コード認証装置とを備え、媒体固有の識別情報が記録されてなる識別媒体を用いて前記情報コードの利用者の本人確認を行う確認システムであって、
前記情報コード発行装置は、
利用者が所持する前記識別媒体の前記識別情報を読み取る識別情報取得部と、
前記識別情報取得部によって取得した前記識別情報、又は前記識別情報を反映した反映情報を記録した前記情報コードを生成する情報コード生成部と、
前記情報コード生成部によって生成された前記情報コードを発行する情報コード発行装置と、
を備え、
前記情報コード認証装置は、
利用者が所持する前記識別媒体から前記識別情報を読み取る識別情報読取部と、
前記情報コード発行装置で発行された前記情報コードが前記識別媒体に付されている場合、又は前記識別媒体に表示されている場合に当該情報コードを撮像する撮像部と、
前記撮像部によって撮像された前記情報コードの解読を試み、前記識別情報読取部で取得した前記識別情報を解読時に利用した場合の利用結果、又は前記識別情報読取部で取得した前記識別情報と前記情報コードを解読して得られる解読データとの対比結果に基づいて、前記撮像部によって撮像された前記情報コードの認証の成否を判定する判定部と、
を有することを特徴とする。
【発明の効果】
【００１０】
請求項１の発明は、情報コード発行装置において、利用者が所持する識別媒体の識別情報を読み取る識別情報取得部と、識別情報取得部によって取得した識別情報、又は識別情報を反映した反映情報を記録した情報コードを生成する情報コード生成部と、情報コード生成部によって生成された情報コードを発行する情報コード発行装置とが設けられている。
この構成では、事業者が自社開発の専用カード発行システム等を構築せずとも、利用者が一般的に利用する識別媒体を所持していればその識別媒体の識別情報又は反映情報を記録した情報コード、即ち、利用者固有のものとして認識できる情報コードを発行することができる。勿論、事業者側がカード発行システムを構築する場合でも、同様の情報コードを発行することができる。
一方、情報コード認証装置は、利用者が所持する識別媒体から識別情報を読み取ることが可能であり、且つ、情報コード発行装置で発行された情報コードが識別媒体に付されている場合、又は識別媒体に表示されている場合に当該情報コードを撮像することが可能となっている。そして、撮像部によって撮像された情報コードの解読を試み、識別情報読取部で取得した識別情報を解読時に利用した場合の利用結果、又は識別情報読取部で取得した識別情報と情報コードを解読して得られる解読データとの対比結果に基づいて、撮像部によって撮像された情報コードの認証の成否を判定するようになっている。この構成では、利用者が、情報コード発行装置で発行された情報コードをその発行に用いられた識別媒体に付したり識別媒体で表示したりして提示した場合に、当該識別媒体に記録された識別情報を取得し、これを基に情報コードが正規利用者によって利用されているかを判定することができる。その結果、情報コードが不正利用されている場合（発行に用いられた識別媒体を用いて利用されない場合）にその事実を確認することができ、正規の識別媒体を所持しない第三者による不正利用をより確実に排除することができる。
【００１１】
請求項２の発明では、前記情報コード発行装置は、前記反映情報として、所定の基礎情報を前記識別情報取得部によって取得した前記識別情報に基づく暗号化キーによって暗号化した暗号化基礎情報を生成する暗号化基礎情報生成部を備え、前記情報コード発行装置の前記情報コード生成部は、前記暗号化基礎情報生成部によって生成された前記暗号化基礎情報を記録した前記情報コードを生成し、前記情報コード認証装置の前記判定部は、前記識別情報読取部で読み取られた前記識別情報を復号化キーとして、前記撮像部によって撮像された前記情報コードに記録される前記暗号化基礎情報の復号化を試み、その復号化が成功することを条件として当該情報コードの認証を成功とする。
【００１２】
この構成によれば、情報コード内に秘匿性の高い暗号情報を記録することができ、コードからの情報流出（基礎情報の流出）を抑制することができる。また、正規の識別媒体を有さない限り、情報コードの復号化ができないため、セキュリティ面でも非常に有利となる。更に、正規利用者は、情報コードを復号化するための復号化キーを覚えておく必要がなく、復号化キーを手入力する必要もないがめ、運用上の手間がより軽減される。
【００１３】
請求項３の発明では、前記情報コード発行装置は、前記情報コードが記録され且つ前記識別媒体に貼り付け可能とされた情報コード媒体を形成し、発行することを特徴とする。
【００１４】
この構成によれば、大掛かりなシステムを用いなくても個人に対応した情報コードを生成し、その個人の識別媒体に付すことができるようになる。
【００１５】
請求項４の発明では、前記識別媒体は、表示部を備えた携帯端末であり、前記情報コード発行装置は、前記情報コード生成部によって生成された前記情報コードを、当該情報コードの生成に用いた前記携帯端末に対し前記表示部で表示可能なデータとして送信することで前記情報コードを発行することを特徴とする。
【００１６】
この構成によれば、情報コードを形成する媒体（紙媒体等）を省略することができ、情報コード発行装置を運用する上での手間やコストを抑えることができる。また、ユーザは労することなく固有の情報コードを自身の携帯端末に保存することができる。
【００１７】
請求項５の発明では、前記情報コード発行装置は、商品又は役務の料金を印刷したシート媒体を発行する印刷部を備え、前記シート媒体に前記情報コードを印刷することで前記情報コードを発行し、前記識別媒体は、表示部及びカメラを備えた携帯端末であり、前記カメラによって前記シート媒体に印刷された前記情報コードが撮像された場合に、前記表示部によって前記情報コードを表示することが可能となるように構成される。
【００１８】
この構成では、大掛かりなシステムを用いなくても個人に対応した情報コードを生成することができ、シート媒体（レジ等で出されるレシートなど）と一緒に提供することができる。特に、商品又は役務の料金の情報と一緒に情報コードを印刷することができるため、情報コードの発行処理が迅速になり、印刷部を兼用することができるため、装置構成の簡素化、低コスト化を図ることができる。
【００１９】
請求項６の発明は、前記判定部による前記情報コードの認証が成功することを条件として前記識別情報で特定される個人に利益情報を付与する利益情報付与部を有することを特徴とする。
【００２０】
この構成によれば、利用者に利益情報（ポイント、割引券、サービス券等）を付与し、不正利用者が利益情報を不正取得することをより確実に防止しうるシステムを構築することができる。
【００２１】
請求項７の発明では、前記利益情報付与部は、各個人に付与されるポイントをそれぞれ記録可能な記録部と、前記判定部による前記情報コードの認証が成功した場合に、前記識別情報読取部で取得した前記識別情報で特定される個人に新たに付与すべきポイントに基づき、前記記録部に記録されるべき当該個人のポイントを更新する更新部とを有している。
【００２２】
この構成によれば、各利用者に適正にポイントを付与しうるシステムを構築することができる。特に、情報コードにポイント情報を入れておく必要がないため、情報コードを簡易化することができ、ポイントの更新についても情報コードに対して読み書きを複雑に行うことなく容易に行うことができる。
【００２３】
請求項８では、前記情報コード認証装置は、前記識別情報で特定される個人に対する所定のポイント付与条件が成立した場合に、当該識別情報で特定される個人の更新ポイントを算出する算出部と、前記情報コードの認証が成功した場合に、前記識別情報又は前記識別情報を反映した新たな反映情報を含み、且つ前記算出部によって算出された前記更新ポイントをデータとして含む新たな情報コードを生成する更新コード生成部と、前記更新コード生成部によって生成された前記新たな情報コードを、前記識別情報の記録元の前記識別媒体に送信する更新コード発行部と、を有している。
【００２４】
この構成では、各利用者に与えるポイントを各利用者に付与する情報コード内で管理することができ、情報コード認証装置側でのデータ量を低減できると共に、当該装置の構成や機能を簡素化することができる。
【図面の簡単な説明】
【００２５】
【図１】図１は、本発明の第１実施形態に係る確認システムの全体構成を概略的に示す概念図である。
【図２】図２は、図１の確認システムの電気的構成を概略的に例示するブロック図である。
【図３】図３（Ａ）は、主に、図１の確認システムにおける読取装置内の一部（情報コード読取部）の構成を説明する説明図であり、図３（Ｂ）は、主に、その読取装置における無線リーダライタの構成を説明する説明図である。
【図４】図４（Ａ）は、図１の確認システムで用いるＩＣカードの外観を説明する説明図であり、図４（Ｂ）は、そのＩＣカードの電気的構成を例示するブロック図である。
【図５】図５は、図１の確認システムで行われるポイント付与処理を例示するフローチャートである。
【図６】図６は、ＩＣカードに付される情報コードの構成を概念的に説明する説明図である。
【図７】図７（Ａ）は、図６の情報コードのデータ構成を例示する説明図であり、図７（Ｂ）は、公開領域に記録する開示データを例示する説明図であり、図７（Ｃ）は、非公開領域に記録する暗号データを例示する説明図である。
【図８】図８（Ａ）は、第１実施形態の変形例に係る確認システムを概略的に例示するブロック図であり、図８（Ｂ）は、その確認システムで用いられる管理装置の構成を概略的に例示するブロック図である。
【図９】図９（Ａ）は、第２実施形態に係る確認システムで用いられる識別媒体（携帯端末）を概略的に例示する外観図であり、図９（Ｂ）は、その携帯端末の電気的構成を例示するブロック図である。
【図１０】図１０は、第２実施形態に係る確認システムで用いる情報コードのデータ構成を説明する説明図である。
【発明を実施するための形態】
【００２６】
[第１実施形態]
以下、本発明を具現化した第１実施形態について、図面を参照して説明する。
第１実施形態に係る確認システム１は、情報コードを発行する情報コード発行装置としての機能と、情報コードを認証する情報コード認証装置としての機能とを有しており、媒体固有の識別情報が記録されてなる識別媒体を用いて情報コードの利用者の本人確認を行うシステムとして構成されている。まず、以下の代表例では、識別媒体として非接触通信可能に構成されたＩＣカード９０が用いられ、読取装置１０、コンピュータ５０、プリンタ６０が情報コード発行装置及び情報コード認証装置として兼用される例を説明する。
【００２７】
図１に示す確認システム１は、ＩＣカード９０と、発行・認証システム２とを用いて実現されており、発行・認証システム２は、読取装置１０、コンピュータ５０、プリンタ６０によって構成されている。なお、発行・認証システム２は、以下で説明する読取装置１０、コンピュータ５０、プリンタ６と同様の機能を有していればその形態は限定されるものではなく、読取装置１０やプリンタ６０が、コンピュータ５０と一体的に構成されていてもよく、読取装置１０やプリンタ６０が、コンピュータ５０に有線通信又は無線通信可能に接続されていてもよい。例えば、コンピュータ５０が電子レジスタ（ＰＯＳレジスタ等）によって実現され、この電子レジスタに組み込まれる形で読取装置１０やプリンタ６０が設けられていてもよく、これら読取装置１０やプリンタ６０が電子レジスタに対して外付けで接続されていてもよい。また、コンピュータ５０は、インターネット等の通信網を介してネットワーク通信可能とされたサーバ装置などによって実現されていてもよい。
【００２８】
図２に示すように、読取装置１０は、バーコードや二次元コードなどの情報コードを読み取る情報コードリーダとしての機能と、ＩＣカード等の無線通信媒体（非接触通信媒体）を読み取る無線リーダとしての機能とを備え、読み取りを二方式で行いうる構成をなしている。この読取装置１０は、全体的制御を司る制御部１１を備えており、この制御部１１に、メモリ１２、表示部１３、通信部１４などが接続されている。
【００２９】
制御部１１は、ＣＰＵ、システムバス、入出力インタフェース等を有し、メモリ１２とともに情報処理装置として機能している。また、表示部１３は、ＬＥＤランプや表示パネルなどによって構成されており、制御部１１からの指令を受けて動作するようになっている。通信部１４は、外部（例えばコンピュータ５０）との間での有線又は無線方式でデータ通信を行うためのインターフェースとして構成されており、制御部１１と協働して通信処理を行う構成をなしている。また、読取装置１０には、外部の商用電源或いは外部装置等から電力供給を受けて動作電源として機能する電源部１５が設けられており、電源部１５によって制御部１１や各種電気部品に電力が供給されている。
【００３０】
また、図２に示すように、制御部１１には、無線リーダライタ２０及び情報コード読取部３０がそれぞれ接続されている。
情報コード読取部３０は、図３（Ａ）に示すように、ＣＣＤエリアセンサなどの固体撮像素子からなる受光センサ３３、結像レンズ３７、複数個のＬＥＤやレンズ等から構成される照明部３１などを備えた構成をなしており、制御部１１と協働して読取対象物に付された情報コードを読み取るように機能する。なお、本実施形態では、ＱＲコード（登録商標）として構成される情報コードＣが用いられているが、公知の他種の情報コードであってもよい。
【００３１】
この情報コード読取部３０では、照明光Ｌｆが情報コードＣにて反射した反射光Ｌｒは読取口を通って装置内に取り込まれ、結像レンズ３７を通って受光センサ３３に受光される。読取口（図示略）と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力される受光信号は、画像データとしてメモリ１２（図２）に記憶され、デコード処理などに用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００３２】
無線リーダライタ２０は、制御部１１と協働し、非接触通信媒体としてのＩＣカード９０との間で電磁波による通信を行ない、ＩＣカード９０に記憶されるデータの読取り、或いはＩＣカード９０へのデータの書込みなどを行なうように機能する。この無線リーダライタ２０は、例えば公知の電波方式で伝送を行う回路として構成されており、図３（Ｂ）に示すように、送信回路２１、受信回路２２、整合回路２３などを有している。送信回路２１は、キャリア発振器、符号化部、増幅器、送信部フィルタ、変調部などによって構成されており、キャリア発振器から所定周波数（例えば周波数９５３ＭＨｚ）のキャリア（搬送波）が出力される構成をなしている。また、符号化部は、制御部１１に接続されており、当該制御部１１より出力される送信データを符号化して変調部に出力する。変調部は、キャリア発振器からのキャリア（搬送波）、及び符号化部からの送信データが入力されるものであり、キャリア発振器より出力されるキャリア（搬送波）に対し、通信対象へのコマンド送信時に符号化部より出力される符号化された送信符号（変調信号）によって例えばＡＳＫ（Amplitude Shift Keying）変調された被変調信号を生成し、増幅器に出力している。また、増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を整合回路２３を介してアンテナ２９に出力している。このようにしてアンテナ２９に送信信号が出力されると、その送信信号が電磁波として当該アンテナ２９より外部に放射される。一方、アンテナ２９によって受信された電波信号は、整合回路２３を介して受信回路２２に入力される。この受信回路２２は、受信部フィルタ、増幅器、復調部、二値化処理部、複号化部などによって構成されており、アンテナ４０を介して受信された信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部１１に出力している。
【００３３】
ＩＣカード９０は、ハードウェア的には公知のＩＣカードとして構成され、図４（Ｂ）に示すように、アンテナ９１，電源回路９２，復調回路９３，制御回路９４，メモリ９５，変調回路９６，負荷変調回路９７などによって構成されている。尚、アンテナ９１には、コンデンサ９８が並列に接続されている。このＩＣカード９０は、読取装置１０より送信された搬送波（電磁波）をアンテナ９１を介して受信すると、電源回路９２において搬送波を整流して動作用電源を生成し、マイクロコンピュータで構成される制御回路９４及びその他の構成要素に供給する。また、搬送波に重畳されている読取装置１０からの送信データは復調回路９３によって復調され、制御回路９４に出力される。制御回路９４は、動作用電源が供給されて起動すると、読取装置１０からの送信データを受けてメモリ９５に記憶されているデータを読み出し、また、ライトコマンドが送信された場合はデータを書き込む。変調回路９６は、受信した搬送波を分周した副搬送波を制御回路９４が出力する応答データによって変調する。アンテナ９１に対しては、負荷変調回路９７を構成する抵抗及びスイッチの直列回路が並列に接続されている。そして、変調回路９６より出力される副搬送波の被変調信号により負荷変調回路９７のスイッチがオンオフされることで搬送波が負荷変調され、応答（レスポンス）が返信される。
【００３４】
コンピュータ５０は、読取装置１０及び後述するプリンタ６０と有線通信又は無線通信可能に接続されており、例えば公知のパーソナルコンピュータなどの情報処理装置によって構成されている。このコンピュータ５０は、例えば図２のような構成をなしており、ＣＰＵ等からなる制御回路５１、ＲＯＭ、ＲＡＭ、ＨＤＤ等からなる記憶部５２、各種キーやタッチパネル等として構成される操作部５３、液晶モニタ等として構成される表示部５４、読取装置１０やプリンタ６０などと公知の有線通信方式或いは無線通信方式で通信を行う通信インターフェースからなる通信部５５などを備えている。
【００３５】
また、コンピュータ５０には、プリンタ６０が接続されている。このプリンタ６０は、例えばインク方式、レーザ方式、感熱方式、リボン方式等の公知方式のプリンタとして構成されており、例えば、コンピュータ５０からの印刷データ（図１のような情報コードＣの画像データ等）を受けたときに、この印刷データに応じた画像を印刷するように構成されている。なお、以下の代表例では、プリンタ６０がシール媒体に情報コードＣを印刷し得るラベルプリンタとして構成される例を示すが、レシートなどを印刷し得るプリンタなどであってもよい。
【００３６】
（情報コード発行処理）
次に情報コード発行処理について説明する。
この情報コード発行処理は、例えばコンピュータ５０の操作部５３にて所定操作がなされたときに制御回路５１によって実行されるものである。
この処理では、まず第１段階として、コンピュータ５０から読取装置１０に対してＩＣカードの読取指示を与え、無線リーダライタ２０は、この読取指示に応じてＩＣカードの非接触読取を開始する。無線リーダライタ２０は、例えば公知の読取方式で読み取りを行うようになっており、このＩＣカードに記録された識別情報（識別子）を取得する。なお、識別情報（識別子）が取得できれば、具体的なデータは取得できても取得できなくてもよい。ＩＣカードは、当該システムを提供する事業者以外の事業者、国、市町村、その他の主体から提供されるものを好適に使うことができ、当該システムを提供する事業者から提供されるものであっても良い。例えば一般的に使用されている電子マネーカードや乗車券などとして用いるＩＣカードであってもよく、運転免許証や住民基本台帳カードなどのＩＣカードであってもよい。
【００３７】
具体的には、読取装置１０は、読み取り方式として、TypeA方式、TypeB方式、Felica方式などを併用できるマルチタイプリーダとして構成されており、例えば、提示されたＩＣカード９０の方式がFeliCa方式のＩＣカードである場合、このFeliCa方式で用いられるカード固有の複数ケタの固有ＩＤを読み取る。また、提示されたＩＣカード９０の方式がTypeA方式のＩＣカードである場合、このTypeA方式で用いられるカード固有の複数ケタの固有ＩＤを読み取る。このように第１段階では、提示されたカード種類の方式に対応した固有ＩＤを識別情報（識別子）として読み取る。
【００３８】
そして、第２段階では、ＩＣカード９０から取得した固有ＩＤ（識別情報）を暗号キーとするように、暗号化データを生成する。暗号化を行う元となるデータ（基礎情報）としては、例えば、事業者名、事業者コード、店舗情報などが用いられ、これらのデータは、予めコンピュータ５０の記憶部５２に記憶されている。また、元となるデータ（基礎情報）の中にＩＣカード９０を提示した個人の個人情報（氏名、生年月日、年齢等）を含めてもよい。この場合、その個人から書類やヒアリングなどによって個人情報（氏名、生年月日、年齢等）を取得してオペレータがコンピュータ５０の操作部５３を用いて入力したり、その個人からのＷｅｂを介した事前登録や事後登録、或いはコンピュータ５０での入力作業によってコンピュータ５０が個人情報を取得することができる。
【００３９】
そして、このような基礎情報（元データ）を暗号化し、その暗号化された暗号データを記録した情報コードＣを生成する。具体的には、第１段階で取得した識別情報（即ち、ＩＣカード９０毎に固有に割り当てられた固有情報）を暗号化キーとして非公開とするべき上記基礎情報（事業者情報等）を、所定の暗号化アルゴリズムを用いて公知の暗号化方式（共通鍵暗号化方式、公開鍵暗号化方式等）によって暗号化し、その暗号データをコード内の非公開領域に記録するように情報コードＣを生成する。図６には、一部領域を非公開領域Ｃｂ（暗号化されたデータが記録される領域）とし、他の領域を公開領域Ｃａ（暗号化されていないデータが記録される領域）とする情報コードＣ（二次元コード）を概念的に示している。なお、図６では、情報コードＣを概念的に示しているが、この情報コードＣの外観は、例えば公知のＱＲコードと同様であり、３つの角部に公知の位置検出パターンが配置され、それ以外の領域には、明色セルと暗色セルとが配列されている。この情報コードＣにおいて、公開領域Ｃａは、解読キーを有さない読取装置によっても読み取りが可能な領域として構成されており、第三者に開示して差し支えのない様々な開示データを含ませることができる。或いは、公開領域Ｃａのデータを省略してもよい。
【００４０】
なお、一部領域を非公開領域（暗号化キーに対応する解読キーの取得を条件として読み取り可能な領域）とし、他の領域を公開領域（暗号化キーに対応する解読キーを用いずに読み取り可能な領域）とする情報コードの生成方法や生成される情報コードの具体的構成としては、例えば、特開２００９−９５４７公報、特開２００８−２９９４２２公報などに開示された技術を好適に用いることができる。図７（Ａ）には、これら公報の技術を用いた場合の情報コードのデータ構成を例示しており、このうち、「開示コード」は、図７（Ｂ）のような各開示データをＪＩＳの基本仕様（ＪＩＳＸ０５１０：２００４）に従って符号化したものである。また、「秘匿コード」は、図７（Ｃ）のような各暗号データ（事業者情報、事業者コード、店舗情報、個人情報等をそれぞれ暗号化した各暗号データ）をＪＩＳの基本仕様（ＪＩＳＸ０５１０：２００４）に従って符号化したものである。
【００４１】
なお、特開２００９−９５４７公報、特開２００８−２９９４２２公報に示す方法では、非公開領域に記録される秘匿コード内に復号キーや復号キーを特定しうる復号キー検査データが含まれているが、非公開領域内に復号キーや復号キー検査データを含ませないようにすることができる。また、情報コードＣの生成方法や生成される情報コードＣの具体的構成はこの例に限られるものではなく、少なくとも一部領域に暗号化データを記録した二次元コードを生成可能な方法であれば、これら公報に記載された方法以外の方法で生成されていてもよい。例えば、上記識別情報を暗号キーとして公知の暗号化方式（共通鍵暗号化方式等）によって基礎情報を暗号化し、この暗号化データをデータ領域に記録したデータマトリックスコードやマキシコード等を生成するようにしてもよい。いずれの場合でも、復号化を行う側（本実施形態では、生成した装置と同じ読取装置１０）に暗号化アルゴリズムに対応した復号化アルゴリズム及び暗号化を行った暗号化キーがあれば解読できることとなる。
【００４２】
そして、このような情報コードＣのデータ（具体的には、情報コードＣを描画するための描画データ）が生成された後には、第三段階として、情報コードＣを印刷する。図１の例では、上述のプリンタ６０により、情報コードＣをシールとして印刷している。このように情報コードＣが印刷された後には、ユーザ或いは事業者側がその情報コードＣをＩＣカード９０（情報コードＣを生成するために識別情報を取得したＩＣカード）に添付することでユーザ側の事前準備は完了する。一方、店側のコンピュータでは、情報コードＣの印刷前又は印刷後において、上記識別情報（情報コードＣを生成するためにＩＣカード９０から取得した固有情報）と対応付けて対応情報（識別情報と対応付けて登録するべき氏名やポイント情報）を記録するように、データベースへの登録処理が行われる。
【００４３】
本実施形態では、読取装置１０、コンピュータ５０、及びプリンタ６０が「情報コード発行装置」の一例に相当する。また、読取装置１０が「識別情報取得装置」の一例に相当し、利用者が所持する識別媒体（図１の例ではＩＣカード）の識別情報を読み取るように機能する。
【００４４】
また、コンピュータ５０の制御回路５１が「情報コード生成部」の一例に相当し、識別情報取得装置によって取得した識別情報を反映した反映情報を記録した情報コードＣを生成するように機能する。具体的には、制御回路５１は、「暗号化基礎情報生成部」の一例に相当し、反映情報として、所定の基礎情報（事業者情報や個人情報等）を識別情報取得装置によって取得した識別情報に基づく暗号化キーによって暗号化した暗号化基礎情報を生成するように機能し、「情報コード生成部」に相当する制御回路５１は、その生成された暗号化基礎情報を記録した情報コードＣを生成するように機能する。
【００４５】
また、コンピュータ５０及びプリンタ６０が「情報コード発行部」の一例に相当し、情報コード生成部によって生成された情報コードＣを発行するように機能し、具体的には、情報コードＣが記録され且つ識別媒体（ＩＣカード９０）に貼り付け可能とされた情報コード媒体７０（シール媒体）を形成しつつ発行（即ち、シール印刷）するように機能する。
【００４６】
（情報コード認証処理）
次に、情報コード認証処理について説明する。
図５は、情報コード認証処理の一例に相当するものであり、以下の例では、商品を購入したり役務提供を受けたときの精算時などに行われるポイント付与時の認証処理を例に挙げて説明する。
【００４７】
この処理は、例えば、コンピュータ５０或いは図示しない外部装置（レジやリーダなど）によって、支払金額の入力（例えば、手入力操作による支払金額の入力、或いはバーコード等を読み取ることによる支払金額の入力）があったときに、例えばコンピュータ５０の制御回路５１によって実行されるものであり、まず、ＩＣカードから識別情報（識別子）を読み取ると共に判定を行う（Ｓ１）。例えば、当該処理開始に伴って読取装置１０に対し読取指示を与え、読取装置１０の通信範囲内に識別媒体（ＩＣカード９０）が翳されているときに無線リーダライタ２０によってＩＣカード９０を読み取る。この場合も情報コード生成時と同様、提示されたカード種類の方式に対応した固有ＩＤを識別情報（識別子）として読み取る。そして、識別情報（識別子）を読み取ることができた場合には、Ｓ１にてＹｅｓに進み、読み取ることができなかった場合にはＳ１にてＮｏに進む。Ｓ１でＮｏに進む場合、利益付与（ポイント付与）を行わない通常の支払とし（Ｓ９）、当該処理を終了する。
【００４８】
Ｓ１でＹｅｓに進む場合には、読取装置１０の情報コード読取部３０により、識別媒体で示されている情報コードＣの読み取りを試みる。具体的には、例えば、ＩＣカード９０に付された情報コードＣの読み取りを試み、判定を行う（Ｓ２）。このＳ２では、情報コードＣの画像が取得できているか否かを判定し、取得できている場合にはＳ２にてＹｅｓに進み、取得できていない場合にはＳ２にてＮｏに進む。Ｓ２の判定方法は様々であるが、例えば、ＱＲコード（登録商標）の位置検出パターンが検出されたか否かを判断してもよく、コード画像と推認される矩形領域が検出されたか否かを判断してもよい。そして、情報コード）の画像が取得できた場合には、Ｓ２にてＹｅｓに進み、取得できなかった場合にはＳ２にてＮｏに進む。Ｓ２でＮｏに進む場合、利益付与（ポイント付与）を行わない通常の支払とし（Ｓ１０）、当該処理を終了する。
【００４９】
Ｓ２でＹｅｓに進む場合、Ｓ１で読み取られた識別情報（識別子）を復号化キーとし（Ｓ３）、この復号化キー（識別情報）を用いて情報コードＣに記録された暗号データの復号化を試みる（Ｓ４）。コンピュータ５０には、ＩＣカード９０の識別情報に対応する情報コードＣを生成する際に暗号化に用いる暗号化プログラムと対応する復号化プログラム（当該暗号化プログラムで生成された暗号データを復号化可能なプログラム）が記憶されているため、Ｓ１で取得した識別情報（暗号化キー）と、Ｓ２で認識された情報コードＣの暗号データに用いられている暗号化キー（識別情報）とが一致していれば（即ち、情報コード発行時において、Ｓ２で認識された情報コードＣの暗号化に、当該情報コードＣが添付されているＩＣカード９０が用いられていれば）、Ｓ２で認識された情報コードＣの暗号データを復号することが可能となる。
【００５０】
Ｓ４の後には、復号の成否を検証し（Ｓ５）、Ｓ２で認識された情報コードＣの暗号データの復号化が成功していれば、Ｓ５にて「正常」に進む。一方、Ｓ２で認識された情報コードＣの暗号データの復号化が失敗していれば、Ｓ５にて「異常」に進む。「異常」に進む場合には、別の識別媒体（Ｓ１で認識された識別媒体とは異なる識別媒体）によって発行された情報コードＣであると特定され、利益付与（ポイント付与）を行わない通常の支払とし（Ｓ１１）、当該処理を終了する。なお、Ｓ１１で特定された事実は、コンピュータ５０の表示部５４で表示するようにしてもよい。
【００５１】
Ｓ５で「正常」に進む場合、復号化されたデータ（基礎情報）に記録された事業者コードと当該コンピュータ５０に予め記憶された事業者コードとを比較する。事業者コードが一致する場合にはＳ８に進み、一致しない場合にはＳ１２に進む。Ｓ１２に進む場合には、別の事業者によって発行された情報コードＣであると特定され、利益付与（ポイント付与）を行わない通常の支払とし（Ｓ１２）、当該処理を終了する。なお、Ｓ１２で特定された事実は、コンピュータ５０の表示部５４で表示するようにしてもよい。
【００５２】
Ｓ６で、事業者コードが一致していると判定された場合、ポイント計算処理を行う。ポイント計算処理は公知の様々な方法で用いることができ、例えば、当該図５の処理前に入力された上述の支払金額に所定の掛け数を乗じるように今回の付与ポイントを算出してもよく、支払金額をパラメータとする演算式によってポイントを算出してもよい（この場合、。演算式や掛け数が予め登録されていればよい）。或いは、当該支払いの対象商品や役務に応じたポイントを算出してもよい（この場合、商品や役務の種類に対応付けてポイント数が定められていればよい）。或いは、支払い１回につき一定値のポイントを付与するようにしてもよい。このようにして、Ｓ７では、今回付与すべきポイント数を算出する。
【００５３】
Ｓ７の後には、Ｓ７で算出されたポイント数を当該個人のポイントに反映する。具体的には、コンピュータ５０又は図示しないサーバなどに設けられたデータベースおいて、上述の識別情報（識別子）と対応付けるように蓄積ポイント数が記憶されており、Ｓ８では、Ｓ７で算出されたポイント数を、当該個人用に既に蓄積されている蓄積ポイント数（即ち、Ｓ１で取得された識別情報（識別子）対応付けて既に蓄積されている蓄積ポイント数）に加算するようにポイントを反映することになる。
【００５４】
本実施形態では、読取装置１０及びコンピュータ５０が「情報コード認証装置」の一例に相当する。また、読取装置１０は、「識別情報読取部」の一例に相当し、利用者が所持する識別媒体（ＩＣカード９０）から識別情報を読み取るように機能する。また、受光センサ３３は、「撮像部」の一例に相当し、情報コード発行部で発行された情報コードＣが識別媒体（ＩＣカード９０）に付されているに当該情報コードＣを撮像するように機能する。
【００５５】
また、制御回路５１は、「判定部」の一例に相当し、受光センサ３３によって撮像された情報コードＣの解読を試み、上記識別情報読取部で取得した識別情報を解読時に利用した場合の利用結果に基づいて、受光センサ３３によって撮像された情報コードの認証の成否を判定するように機能している。より具体的には、識別情報読取部で読み取られた識別情報を復号化キーとして、受光センサ３３によって撮像された情報コードＣに記録される暗号化基礎情報の復号化を試み、その復号化が成功することを条件として当該情報コードＣの認証を成功とするように機能する。
【００５６】
また、制御回路５１及び記憶部５２は、「利益情報付与部」の一例に相当し、判定部による情報コードＣの認証が成功することを条件として識別情報で特定される個人に利益情報を付与するように機能する。また、記憶部５２は、各個人に付与されるポイントをそれぞれ記録可能な「記録部」の一例に相当する。更に、制御回路５１及び記憶部５２は、「更新部」の一例に相当し、判定部による情報コードの認証が成功した場合に、識別情報読取部で取得した識別情報で特定される個人に新たに付与すべきポイント（例えば、Ｓ７で算出されたポイント）に基づき、記録部に記録されるべき当該個人のポイントを更新するように機能する。
【００５７】
なお、上述の例では、コンピュータ５０内に、識別情報やその他の情報（個人情報等）とポイント情報とを対応付けたデータベースを設ける例を示したが、図８のようにコンピュータ５０と有線又は無線通信可能な（例えば、インターネットや専用回線を介して通信可能な）管理装置２００を設け、この管理装置２００内に上述のデータベースを設けるようにしてもよい。この場合、情報コードＣの発行時に、当該情報コードＣの生成に用いたＩＣカード９０に対応する個人のデータ（具体的には、当該ＩＣカード９０の識別情報と、当該識別情報に対応付けたデータ）をコンピュータ５０から管理装置２００に送信してメモリ２０２に登録し、図５の読取処理において当該識別情報を読み取った時のＳ７でのポイント算出が完了する毎に、コンピュータ５０から管理装置２００に対して当該識別情報とＳ７でのポイント算出値とを対応付けて送信し、管理装置２００において当該識別情報に対応付けられたポイントデータを加算するように管理すればよい。
【００５８】
（第１実施形態の主な効果）
本実施形態では、情報コード発行装置において、利用者が所持する識別媒体の識別情報を読み取る識別情報取得装置と、識別情報取得装置によって取得した識別情報、又は識別情報を反映した反映情報を記録した情報コードＣを生成する情報コード生成部と、情報コード生成部によって生成された情報コードＣを発行する情報コード発行部とが設けられている。
この構成では、事業者が自社開発の専用カード発行システム等を構築せずとも、利用者が一般的に利用する識別媒体を所持していればその識別媒体の識別情報又は反映情報を記録した情報コード、即ち、利用者固有のものとして認識できる情報コードを発行することができる。勿論、事業者側がカード発行システムを構築する場合でも、同様の情報コードを発行することができる。
【００５９】
一方、情報コード認証装置は、利用者が所持する識別媒体から識別情報を読み取ることが可能であり、且つ、情報コード発行部で発行された情報コードＣが識別媒体に付されている場合、又は識別媒体に表示されている場合に当該情報コードＣを撮像することが可能となっている。そして、受光センサ３３によって撮像された情報コードＣの解読を試み、識別情報読取部で取得した識別情報を解読時に利用した場合の利用結果、又は識別情報読取部で取得した識別情報と情報コードＣを解読して得られる解読データとの対比結果に基づいて、受光センサ３３によって撮像された情報コードＣの認証の成否を判定するようになっている。この構成では、利用者が、情報コード発行装置で発行された情報コードＣをその発行に用いられた識別媒体に付したり識別媒体で表示したりして提示した場合に、当該識別媒体に記録された識別情報を取得し、これを基に情報コードＣが正規利用者によって利用されているかを判定することができる。その結果、情報コードＣが不正利用されている場合（発行に用いられた識別媒体を用いて利用されない場合）にその事実を確認することができ、正規の識別媒体を所持しない第三者による不正利用をより確実に排除することができる。
【００６０】
また、情報コード発行装置は、反映情報として、所定の基礎情報を識別情報取得装置によって取得した識別情報に基づく暗号化キーによって暗号化した暗号化基礎情報を生成する暗号化基礎情報生成部を備え、情報コード発行装置の情報コード生成部は、暗号化基礎情報生成部によって生成された暗号化基礎情報を記録した情報コードＣを生成し、情報コード認証装置の判定部は、識別情報読取部で読み取られた識別情報を復号化キーとして、受光センサ３３によって撮像された情報コードＣに記録される暗号化基礎情報の復号化を試み、その復号化が成功することを条件として当該情報コードＣの認証を成功とする。
この構成によれば、情報コード内に秘匿性の高い暗号情報を記録することができ、コードからの情報流出（基礎情報の流出）を抑制することができる。また、正規の識別媒体を有さない限り、情報コードＣの復号化ができないため、セキュリティ面でも非常に有利となる。更に、正規利用者は、情報コードＣを復号化するための復号化キーを覚えておく必要がなく、復号化キーを手入力する必要もないため、運用上の手間がより軽減される。
【００６１】
更に、情報コード発行部は、情報コードＣが記録され且つ識別媒体に貼り付け可能とされた情報コード媒体７０を形成し、発行することを特徴とする。この構成によれば、大掛かりなシステムを用いなくても個人に対応した情報コードＣを生成し、その個人の識別媒体に付すことができるようになる。
【００６２】
また、本実施形態では、判定部による情報コードＣの認証が成功することを条件として識別情報で特定される個人に利益情報を付与する利益情報付与部している。この構成によれば、利用者に利益情報を付与し、不正利用者が利益情報を不正取得することをより確実に防止しうるシステムを構築することができる。
【００６３】
また、利益情報付与部は、各個人に付与されるポイントをそれぞれ記録可能な記録部と、判定部による情報コードＣの認証が成功した場合に、識別情報読取部で取得した識別情報で特定される個人に新たに付与すべきポイントに基づき、記録部に記録されるべき当該個人のポイントを更新する更新部とを有している。この構成によれば、各利用者に適正にポイントを付与しうるシステムを構築することができる。特に、情報コードにポイント情報を入れておく必要がないため、情報コードを簡易化することができ、ポイントの更新についても情報コードに対して読み書きを複雑に行うことなく容易に行うことができる。
【００６４】
[第２実施形態]
次に、本発明の第２実施形態について説明する。
本実施形態では、識別媒体として図９（Ａ）（Ｂ）に示すような携帯端末８０（例えば携帯電話機、スマートフォン、タブレット端末、その他の携帯電子端末等）が用いられている。この携帯端末８０は、例えば、図９（Ｂ）に示すように、ＣＰＵからなる制御回路８１と、受光センサ（例えば、Ｃ−ＭＯＳエリアセンサ、ＣＣＤエリアセンサ等）を備えたカメラとして構成される撮像部（図示略）と、液晶表示器などからなる表示部８４と、インターネット等の通信網を介して通信を行う通信インターフェースとして構成される通信部８２とを備えている。また、ＲＯＭ，ＲＡＭ、不揮発性メモリなどからなるメモリ８３や、各種操作キーによって構成される操作部（図示略）なども備えている。
【００６５】
本実施形態では、情報コードＣの発行に際し、読取装置１０が、ユーザによって提示された携帯端末８０（具体的には、携帯端末８０における非接触通信部（例えば非接触通信により電子マネー決済を行い得る部分であり固有情報が読み出し可能な部分等）と非接触通信を行い、この携帯端末８０から固有情報（固有ＩＤ等の識別情報）を取得する。そして、基本的に第１実施形態の情報コード発行処理と同様の処理（第一段階、第二段階）を行い、コンピュータ５０において第二段階で生成された情報コードＣ（携帯端末８０から取得した識別情報を暗号化キーとして暗号化したデータを記録した情報コード）の画像を、画像データとして携帯端末８０に送信する。なお、送信先の携帯端末８０のアドレスは、書面や口頭でユーザがコンピュータ５０を操作するオペレータに伝えてそのオペレータが入力するようにしてもよく、コンピュータ５０でのユーザの直接入力や事前登録などであってもよい。この場合、情報コードＣの画像を取得した携帯端末８０はメモリ８２にこの画像を記憶しておくことになる。
【００６６】
本実施形態では、コンピュータ５０が「情報コード発行部」の一例に相当し、情報コード生成部によって生成された情報コードＣを、当該情報コードＣの生成に用いた携帯端末８０に対し表示部８４で表示可能なデータとして送信することで情報コードを発行するように機能する。
【００６７】
本実施形態の認証処理は、基本的に第１実施形態と同様であり、図５の流れで行われる。この場合、ユーザは携帯端末８０に対して所定操作を行うことで情報コードＣの画像を表示部８４に表示させ、これを読取装置１０に翳せばよく、Ｓ１では、翳された携帯端末８０と非接触通信を行って当該携帯端末８０から識別情報（識別子）の取得を試み、判定を行うことになる。また、Ｓ２では、携帯端末８０の表示部８４に表示された情報コードＣ（図９（Ａ）参照）のコード画像の撮像及び認識を試みることになる。なお、情報コードＣのコード画像が取得された後のＳ３以降の処理（Ｓ３〜Ｓ７）は第１実施形態と同様である。
【００６８】
本実施形態でも、読取装置１０の受光センサ３３が、「撮像部」の一例に相当し、情報コード発行部で発行された情報コードＣが識別媒体（携帯端末８０）に表示されている場合に当該情報コードＣを撮像するように機能する。
【００６９】
また、本実施形態の情報コード認証装置も、識別情報で特定される個人に対する所定のポイント付与条件が成立した場合（即ち、Ｓ６で一致と判定される場合）に、当該識別情報で特定される個人の更新ポイントを算出している（Ｓ７）。なお、コンピュータ５０の制御回路５１が「算出部」の一例に相当する。
【００７０】
そして、Ｓ８では、算出されたポイントをコードに記録する形で、ポイントを反映している。具体的には、情報コードＣ内に、図１０のようなデータが暗号化された形で記録されており、Ｓ８では、Ｓ２〜Ｓ６で解読した情報コードＣに記録されたポイント数に対してＳ７で算出されたポイント数を加算し、これを新たなポイント数とするように更新した新たな情報コードＣを生成する。具体的には、新たなポイント数を含み、図１０に示すそれ以外の情報を含んだデータを、Ｓ１で取得した識別情報を暗号化キーとして再度暗号化し、その暗号データを記録するように新たな情報コードＣを生成する。そして、その新たな情報コードＣをその認証対象の携帯端末８０に送信する。この場合、携帯端末８０側では、コンピュータ５０から新たな情報コードＣの送信があった場合に、古い情報コードＣのデータを破棄するように処理を行う。
【００７１】
本実施形態では、制御回路５１が「更新コード生成部」の一例に相当し、情報コードの認証が成功した場合に、識別情報又は識別情報を反映した新たな反映情報を含み、且つ算出部によって算出された更新ポイントをデータとして含む新たな情報コードを生成するように機能する。また、制御回路５１及び通信部５５は、「更新コード発行部」の一例に相当し、更新コード生成部によって生成された新たな情報コードＣを、識別情報の記録元の識別媒体（携帯端末８０）に送信するように機能する。
【００７２】
（第２実施形態の主な効果）
この例では、識別媒体は、表示部８４を備えた携帯端末８０であり、情報コード発行部は、情報コード生成部によって生成された情報コードを、当該情報コードの生成に用いた携帯端末８０に対し表示部８４で表示可能なデータとして送信することで情報コードを発行している。この構成によれば、情報コードを形成する媒体（紙媒体等）を省略することができ、情報コード発行装置を運用する上での手間やコストを抑えることができる。また、ユーザは労することなく固有の情報コードを自身の携帯端末８０に保存することができる。
【００７３】
また、情報コード認証装置は、識別情報で特定される個人に対する所定のポイント付与条件が成立した場合に、当該識別情報で特定される個人の更新ポイントを算出する算出部と、情報コードの認証が成功した場合に、識別情報又は識別情報を反映した新たな反映情報を含み、且つ算出部によって算出された更新ポイントをデータとして含む新たな情報コードを生成する更新コード生成部と、更新コード生成部によって生成された新たな情報コードを、識別情報の記録元の識別媒体に送信する更新コード発行部と、を有している。
この構成では、各利用者に与えるポイントを各利用者に付与する情報コード内で管理することができ、情報コード認証装置側でのデータ量を低減できると共に、当該装置の構成や機能を簡素化することができる。
【００７４】
［他の実施形態］
本発明は上記記述及び図面によって説明した実施形態に限定されるものではなく、例えば次のような実施形態も本発明の技術的範囲に含まれる。
【００７５】
第２実施形態において、情報コード発行部は、例えば電子レジスタ（ＰＯＳレジスタ）等の一部又は外付け装置として構成されると共に商品又は役務の料金を印刷したシート媒体（紙などのレシート等）を発行する印刷部を備えていてもよい。この場合、シート媒体に情報コードＣを印刷することで情報コードＣを発行し、識別媒体（携帯端末８０）は、カメラ（図９では図示略）によってシート媒体に印刷された情報コードＣを撮像することで当該情報コードＣの画像を取得し、これをメモリ８３に保存しておくようにすればよい。そして、認証時には、ユーザの所定操作によってこの情報コードＣが表示部８４に表示できるように構成し、この情報コードＣを読取装置１０で読み取るようにすればよい。
この構成では、大掛かりなシステムを用いなくても個人に対応した情報コードを生成することができ、シート媒体（レジ等で出されるレシートなど）と一緒に提供することができる。特に、商品又は役務の料金の情報と一緒に情報コードを印刷することができるため、情報コードの発行処理が迅速になり、印刷部を兼用することができるため、装置構成の簡素化、低コスト化を図ることができる。
【００７６】
上述の例では、利益情報としてポイント（例えば、商品などと交換可能なポイント、或いは、ポイント数に応じた割引が可能なポイントなど）を例示したが、割引券やサービス券等を利益情報としてもよい。例えば、Ｓ７、Ｓ８の処理においてポイント付与を行う代わりに、或いはこれと併用して、支払代金から一定額割り引くような割引及び支払い処理を行うようにしてもよい。また、Ｓ７、Ｓ８の処理においてポイント付与を行う代わりに、或いはこれと併用して、サービス券などを電子データや紙媒体などによって提供してもよい。
【００７７】
また、「判定部」に相当する制御回路５１は、受光センサ３３によって撮像された情報コードＣの解読を試み、識別情報読取部で取得した識別情報を解読時に利用した場合の利用結果（具体的には復号化結果）に基づいて認証の成否を判定したが、このような例に限られない。例えば、情報コードの発行時に、ＩＣカード９０から取得した識別情報を記録するように情報コードＣを発行し、認証時には、識別情報読取部でＩＣカード９０取得した識別情報と、情報コードＣを解読して得られる解読データとの対比結果に基づいて、受光センサ３３によって撮像された情報コードの認証の成否を判定するようにしてもよい。例えば、認証時にＩＣカード９０から取得した識別情報が解読した情報コードＣに含まれている場合に、認証成功と判定するようにしてもよい。このシステムでは暗号化を行わなくても良く、読取装置１０内に記憶されている暗号化キーによって暗号化を行うようにしてもよい（この場合、認証時にはその暗号化キーを用いて情報コードＣのデータを復号化すればよい）。
【００７８】
上記実施形態では、情報コード発行装置と情報コード認証装置とが兼用される構成を示したが、これらが別々の装置として構成されていてもよい。例えば、情報コードＣの発行は、上述の読取装置１０、コンピュータ５０、プリンタ６０によって行い、認証については、上述の読取装置１０及びコンピュータ５０と同様の読取装置及びコンピュータを設けてこれらによって行うようにしてもよい。
【００７９】
識別媒体は、上述のＩＣカード以外の媒体であってもよい。例えば、固有情報（ＩＤ等）記録された磁気カードを識別媒体とし、読取装置１０に公知の磁気カードリーダを設けるようにしてもよい。或いは、情報表示可能な携帯端末（携帯電話機、スマートフォン、タブレット端末、その他の携帯可能な情報処理端末）を識別媒体とし、この携帯端末に固有に割り当てられた固有情報（ＩＤ）を情報コードやその他のマークなどとして、携帯端末側で画面に表示できるようにし、読取装置では、このような情報コードやマークなどを撮像して固有情報（識別情報）を取得するようにしてもよい。また、読取装置は、これら複数種類の識別情報取得部が設けられていてもよい。この場合、例えば、図５のＳ１の処理では、各種類の識別情報取得部（例えば、上述の無線リーダライタ２０、磁気カードリーダ、携帯端末を撮像する撮像部など）によって識別情報を読み取り可能とし、いずれかの識別情報取得部で識別情報（識別子）を読み取った場合にはＳ１にてＹｅｓに進み、いずれの識別情報取得部でも識別情報（識別子）が読み取られない場合に、Ｓ１でＮｏに進んで利益付与（ポイント付与等）を行わない通常の支払い（Ｓ９）とすればよい。
【００８０】
上記実施形態では、情報コード生成部に相当するコンピュータ５０により、識別情報取得装置によって取得した識別情報を反映した反映情報を記録した情報コードを生成したが、識別情報を反映した反映情報はこの例に限られるものではない。即ち、識別情報が何らかの形で反映されており、その反映方法に基づく方法で識別情報が直接又は間接的に特定できれば他の種類の反映方法であってもよい。例えば、情報コード生成時に取得した識別情報を決められた暗号化キーによって暗号化するような反映情報であってもよく、このような反映情報を記録する形で情報コードＣを生成する場合、その暗号化キーが認証装置に存在すれば、認証時に、Ｓ３、Ｓ４の処理に代えて当該暗号化キーに基づく解読処理を行うことで支障なく解読できる。また、Ｓ６の処理では、第１実施形態と同様に事業者コードの一致の可否を判断すると共にＳ１で取得した識別情報と解読した識別情報との一致の可否を判断すればよい。
【００８１】
上記実施形態では、情報コード生成部に相当するコンピュータ５０により、識別情報取得装置によって取得した識別情報を反映した反映情報を記録した情報コードを生成したが、情報コード生成時に取得した識別情報そのものを記録した情報コードを生成してもよい。この場合、図５の処理において、Ｓ３〜Ｓ５を省略し、Ｓ６の処理では、第１実施形態と同様に事業者コードの一致の可否を判断すると共にＳ１で取得した識別情報と解読した識別情報との一致の可否を判断すればよい。
【００８２】
上記実施形態では、本人確認を必要とするポイントシステムを例示したが、本発明に係る確認システムをチケットシステムなどに適用してもよい。
【符号の説明】
【００８３】
１…確認システム
１０…読取装置（情報コード発行装置、情報コード認証装置、識別情報取得部）
２０…無線リーダライタ（読取部）
３３…受光センサ（撮像部）
５０…コンピュータ（情報コード発行装置、情報コード認証装置、情報コード生成部、情報コード発行装置、利益情報付与部）
５１…制御回路（判定部、暗号化基礎情報生成部、算出部、更新コード生成部、更新コード発行部）
６０…プリンタ（情報コード発行装置、情報コード認証装置、情報コード発行装置、印刷部）
７０…情報コード媒体
８０…携帯端末（識別媒体）
８４…表示部
９０…ＩＣカード（識別媒体）
２００…管理装置（利益情報付与部）
２０１…制御回路（更新部、算出部）
２０２…メモリ（記録部、更新部）
【図１】
2014071721.tif 000003
【図２】
2014071721.tif 000004
【図３】
2014071721.tif 000005
【図４】
2014071721.tif 000006
【図５】
2014071721.tif 000007
【図６】
2014071721.tif 000008
【図７】
2014071721.tif 000009
【図８】
2014071721.tif 000010
【図９】
2014071721.tif 000011
【図１０】
2014071721.tif 000012